【手続補正書】
【提出日】平成28年1月26日(2016.1.26)
【手続補正１】
【補正対象書類名】特許請求の範囲
【補正対象項目名】全文
【補正方法】変更
【補正の内容】
【特許請求の範囲】
【請求項１】
通信媒体を介して複数のノードに第１のメッセージを送信するように構成された送信機、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能な前記データを送信するためのプロセスを開始するように構成されたコントローラと、を備え、
ここにおいて、前記プロセスが、
前記複数のノードの前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に前記第２の制御メッセージが受信されなかった場合、前記サブセットの第２のノードに前記第１の制御メッセージを送信することと、
を備える、
ワイヤレス通信のための装置。
【請求項２】
前記複数のノートが、前記第１のメッセージが送信されると予期されていない時間期間のあいだに、選択的に少なくとも一部は電力が切断されるように構成され、ここにおいて、前記コントローラは、各ノードにユニキャストデータを送信するために、前記第１の時間期間内で前記複数のノードの前記サブセットの各ノードのための第２の時間期間を確保するようにさらに構成され、およびここにおいて、前記第１の制御メッセージは、それぞれの第２の時間期間内に送信され、および前記第１の制御メッセージが送信される前記ノードへ前記装置がユニキャストデータをこれから送信することを示す、請求項１に記載の装置。
【請求項３】
前記コントローラは、前記それぞれの第２の時間期間のあいだに前記複数のノードの前記サブセットの少なくとも１つのノードから第３の制御メッセージを受信するようにさらに構成され、前記第３の制御メッセージが、前記少なくとも１つのノードに送られるべきデータを要求する、請求項２に記載の装置。
【請求項４】
前記第３の制御メッセージが電力節約ポーリング（ＰＳ−ＰＯＬＬ）メッセージを備える、請求項３に記載の装置。
【請求項５】
前記送信機が、前記第１の時間期間のあいだに複数のノードの前記サブセットの各々に、データを送信するようにさらに構成された、請求項２に記載の装置。
【請求項６】
複数のノードの前記サブセットの各々にデータが送信された後、前記サブセットのうちの１つのノードから、データを要求する第３の制御メッセージを受信するように構成された受信機をさらに備える、請求項５に記載の装置。
【請求項７】
前記複数のノードの前記サブセットに含まれないノードが、前記第１の時間期間のあいだに少なくとも一部は電力が切断されるように構成された、請求項１に記載の装置。
【請求項８】
前記複数のノードの前記サブセットに含まれない前記ノードが、前記第１の時間期間のあいだにネットワーク割り当てベクトル（ＮＡＶ）を設定するように構成された、請求項７に記載の装置。
【請求項９】
前記送信機が、前記複数のノードの前記サブセットのうちの１つのノードに、対応する第２の時間期間のあいだに前記ノードから前記第２の制御メッセージが受信される場合、そのノードのための前記対応する第２の時間期間内にノードデータを送信するようにさらに構成された、請求項１に記載の装置。
【請求項１０】
対応する第２の時間期間内に送信された前記第１の制御メッセージが、前記サブセットの別のノードにデータが送信されるようにスケジュールされたことを示す場合、各ノードが、前記対応する第２の時間期間内の第３の時間期間のあいだ選択的に少なくとも一部は電力が切断されるように構成された、請求項１に記載の装置。
【請求項１１】
前記第１の持続時間が分散フレーム間スペース（ＤＩＦＳ）に対応する、請求項１に記載の装置。
【請求項１２】
前記サブセットの前記第１のノードが、第２のノードの第２の時間期間のあいだ選択的に少なくとも一部は電力が切断されるように構成された、請求項１に記載の装置。
【請求項１３】
前記送信機は、複数のノードの前記サブセットに第１の制御メッセージを送信するようにさらに構成され、前記第１の制御メッセージは、前記複数のノードの前記サブセットの第１のノードを示す、請求項１に記載の装置。
【請求項１４】
前記送信機は、前記第２の制御メッセージが前記第１のノードから受信される場合、第１のノードデータを、前記送信機を介して前記第１のノードへ送信するようにさらに構成された、請求項１３に記載の装置。
【請求項１５】
前記送信機は、前記第２の制御メッセージが前記第１のノードから受信されない場合、第１のノードデータを前記第１のノードへ送信するようにさらに構成された、請求項１３に記載の装置。
【請求項１６】
第２のノードが、前記第１の制御メッセージを受信した後、第１の時間期間のあいだ選択的に少なくとも一部は電力が切断されるように構成された、請求項１３に記載の装置。
【請求項１７】
前記第２のノードが、前記第１の時間期間のあいだネットワーク割振りベクトル（ＮＡＶ）を設定するように構成された、請求項１６に記載の装置。
【請求項１８】
前記第１のメッセージが、トラフィック指示マップ（ＴＩＭ）ページングメッセージを備える、請求項１に記載の装置。
【請求項１９】
前記送信機が、ＩＥＥＥ８０２．１１ａｈプロトコルに従って前記第１のメッセージを送信するように構成された、請求項１に記載の装置。
【請求項２０】
通信媒体を介して複数のノードに第１のメッセージを送信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能な前記データを送信するためのプロセスを開始することと、
を備え、
ここにおいて、前記プロセスが、
前記複数のノードの前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に前記第２の制御メッセージが受信されなかった場合、前記サブセットの第２のノードに前記第１の制御メッセージを送信することと、
を備える、
ワイヤレス通信のための方法。
【請求項２１】
通信媒体を介して複数のノードに第１のメッセージを送信するための手段、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能な前記データを送信するためのプロセスを開始するための手段と、
を備え、
ここにおいて、前記プロセスが、
前記複数のノードの前記サブセットの第１のノードに第１の制御メッセージを送信するための手段と、
前記第１の制御メッセージが前記第１のノードに送られた後、第１の持続時間内に前記第１のノードから第２の制御メッセージが受信された場合、前記第１のノードに前記第１のノード用のデータを送信するための手段と、
前記第１の持続時間内に前記第２の制御メッセージが受信されなかった場合、前記サブセットの第２のノードに前記第１の制御メッセージを送信するための手段と、
を備える、
ワイヤレス通信のための装置。
【請求項２２】
通信媒体を介して複数のノードに第１のメッセージを送信するためのコード、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能な前記データを送信するためのプロセスを開始するためのコードと、
を備える、非一時的コンピュータ可読媒体を備え、
ここにおいて、前記プロセスを開始するための前記コードが、
前記複数のノードの前記サブセットの第１のノードに第１の制御メッセージを送信するためのコードと、
前記第１の制御メッセージが前記第１のノードに送られた後、第１の持続時間内に前記第１のノードから第２の制御メッセージが受信された場合、前記第１のノードに前記第１のノード用のデータを送信するためのコードと、
前記第１の持続時間内に前記第２の制御メッセージが受信されなかった場合、前記サブセットの第２のノードに前記第１の制御メッセージを送信するためのコードと、
を備える、
コンピュータプログラム製品。
【請求項２３】
ワイヤレスデバイスによって、通信媒体を介して、複数のノードに送信された第１のメッセージを受信すること、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能なデータを送信するためのプロセスに従って前記データを受信することと、
を備え、
ここにおいて、送信するための前記プロセスが、
前記複数のノードの前記サブセットの第１のノードに第１の制御メッセージを送信することと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に前記第２の制御メッセージが受信されなかった場合、前記サブセットの第２のノードに前記第１の制御メッセージを送信することと
をさらに備える、
ワイヤレス通信のための方法。
【請求項２４】
通信媒体を介して、複数のノードに送信された第１のメッセージを受信するための手段、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能なデータを送信するためのプロセスに従って前記データを受信するための手段と、を備え、
ここにおいて、送信するための前記プロセスが、
前記複数のノードの前記サブセットの第１のノードに第１の制御メッセージを送信する手段と、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に前記第２の制御メッセージが受信されなかった場合、前記サブセットの第２のノードに前記第１の制御メッセージを送信することと、
をさらに備える、
ワイヤレス通信のための装置。
【請求項２５】
ワイヤレスデバイスによって、通信媒体を介して、複数のノードに送信された第１のメッセージを受信するためのコード、ここにおいて、前記第１のメッセージが、そこへの送信にデータが利用可能な前記複数のノードのサブセットを示し、前記第１のメッセージが前記複数のノードの前記サブセットのノードにデータが送信される時刻をさらに示し、前記複数のノードの前記サブセットへの送信用に前記通信媒体が確保される第１の時間期間を示す、と、
前記第１のメッセージが送信された後、前記複数のノードの前記サブセットに利用可能なデータを送信するためのプロセスのためのコードに従って前記データを受信するためのコードと、
を備える、非一時的コンピュータ可読媒体を備え、
ここにおいて、送信するための前記プロセスのための前記コードが、
前記複数のノードの前記サブセットの第１のノードに第１の制御メッセージを送信するためのコードと、
前記第１の制御メッセージが前記第１のノードに送られた後、第１の持続時間内に前記第１のノードから第２の制御メッセージが受信された場合、前記第１のノードに前記第１のノード用のデータを送信することと、
前記第１の持続時間内に前記第２の制御メッセージが受信されなかった場合、前記サブセットの第２のノードに前記第１の制御メッセージを送信することと、
をさらに備える、
コンピュータプログラム製品。